(57)【要約】【課題】三脚雌ねじ部３３１の周辺に他の部品を配置しやすくすることで、撮像装置１００の小型化が実現でき、また、三脚雌ねじ部３３１への熱エネルギーの流入量を抑制でき、三脚雌ねじ部３３１を高温になりにくくする、三脚座プレートを提供すること。【解決手段】本体ユニット（３１０）と、三脚雌ねじ部（３３１）を備える三脚座本体部材（３３０）と、前記三脚座本体部材（３３０）を支持し、前記本体ユニット（３１０）に固定される三脚座支持部材（３４０）と、を備える撮像装置（１００）において、前記三脚雌ねじ部（３３１）は、前記三脚座本体部材（３３０）の第一の平面部（３３３）にあり、前記第一の平面部（３３３）は前記三脚座支持部材（３４０）と当接しないことを特徴とする。【選択図】図４
2018054662.tif 000002
【特許請求の範囲】
【請求項１】
本体ユニット（３１０）と、
三脚雌ねじ部（３３１）を備える三脚座本体部材（３３０）と、
前記三脚座本体部材（３３０）を支持し、前記本体ユニット（３１０）に固定される三脚座支持部材（３４０）と、を備える撮像装置（１００）において、
前記三脚雌ねじ部（３３１）は、前記三脚座本体部材（３３０）の第一の平面部（３３３）にあり、
前記第一の平面部（３３３）は前記三脚座支持部材（３４０）と当接しない
ことを特徴とする撮像装置（１００）。
【請求項２】
前記三脚座支持部材（３４０）は、前記三脚座本体部材（３３０）の前記第一の平面部（３３３）と同一平面にある第二の平面部（３４２）を有することを特徴とする請求項１に記載の撮像装置（１００）。
【請求項３】
前記撮像装置（１００）は、レンズ部（２００）を有し、
前記三脚座本体部材（３３０）を前記三脚座支持部材（３４０）に固定する固定部のうち、
前記三脚雌ねじ部（３３１）より前記レンズ部（２００）側にある固定部（３３４、３４３、３７０）は、
前記三脚雌ねじ部（３３１）のねじ締め込み方向（３３１ａ）に前記三脚座支持部材（３４０）、前記三脚座本体部材（３３０）の順に配置されていることを特徴とする請求項１又は請求項２に記載の撮像装置（１００）。
【請求項４】
前記撮像装置（１００）は、前記三脚雌ねじ部（３３１）を外部に露出させるための穴（３２１）が設けられている外装カバー（３２０）を有し、
前記三脚座支持部材（３４０）は、前記外装カバー（３２０）の内側に配置されていることを特徴とする請求項１乃至請求項３の何れか一項に記載の撮像装置（１００）。
【請求項５】
前記三脚座本体部材（３３０）は、前記三脚座支持部材（３４０）よりも耐摩耗性の高い材料で構成されていることを特徴とする請求項１乃至請求項４の何れか一項に記載の撮像装置（１００）。
【請求項６】
前記三脚座支持部材（３４０）は、前記三脚座本体部材（３３０）よりも比強度の高い材料で構成されていることを特徴とする請求項１乃至請求項５の何れか一項に記載の撮像装置（１００）。
【請求項７】
前記本体ユニット（３１０）は板金部（３１２）を有し、
前記板金部（３１２）と前記三脚支持部材（３４０）は、熱的に接続されていることを特徴とする請求項１乃至請求項６の何れか一項に記載の撮像装置（１００）。
【請求項８】
前記三脚座本体部材（３３０）は、前記三脚座支持部材（３４０）よりも熱伝導率の低い材料で構成されていることを特徴とする請求項１乃至請求項７の何れか一項に記載の撮像装置（１００）。
【請求項９】
前記三脚座本体部材（３３０）は、プレス成型よって加工されることを特徴とする請求項１乃至請求項８の何れか一項に記載の撮像装置（１００）
【請求項１０】
前記三脚座本体部材（３３０）は、ステンレス合金の鉄鋼材料で構成されていることを特徴とする請求項１乃至請求項９の何れか一項に記載の撮像装置（１００）。
【請求項１１】
前記三脚座支持部材（３４０）は、アルミニウム合金またはマグネシウム合金で構成されていることを特徴とする請求項１乃至請求項１０の何れか一項に記載の撮像装置（１００）。
【発明の詳細な説明】
【技術分野】
【０００１】
本発明は、撮像装置に関し、特に三脚への取り付け部の構造に関する。
【背景技術】
【０００２】
従来、特許文献１に開示されているように、レンズ交換式の撮像装置１００を三脚に取り付けた状態で、特にレンズ先端に外力が加わった時の外力による変形を抑制するために、カメラ底部に三脚雌ねじ部３３１を有する金属製の三脚座プレートを配置する構造が提案されている。三脚座プレートは、比較的大きな部品であるため、軽量化のためには、アルミニウム合金等、単位密度当たりの強度である比強度の高い材料で構成するのが好ましい。
【０００３】
しかしながら、アルミニウム合金は、耐摩耗性が低いため、三脚の着脱の繰り返しによって、三脚雌ねじ部３３１が摩耗してしまう懸念がある。そこで、三脚座プレートを、三脚雌ねじ部３３１を有する三脚本体部材３３０と三脚雌ねじ部３３１以外を構成する三脚支持部材３４０に分割し、２体化構造とする構成が知られている。この場合、例えば、三脚本体部材３３０をステンレス合金等の耐摩耗性の高い材料で構成し、三脚支持部材３４０をアルミニウム合金等の比強度の高い材料で構成するのが好ましい。
【０００４】
従来、三脚座プレートを２体化構造とする場合は、図７に示すように、図中斜線で示す、三脚座本体部材３３０の三脚雌ねじ部３３１が設けられている第一の平面部３３３を、三脚雌ねじ部３３１のねじ締め方向３３１ａに、三脚座本体部材３３０、三脚座支持部材３４０の順に接触した状態で配置する従来構成Ａが知られている。また、図８に示すように、第一の平面部３３３を、三脚雌ねじ部３３１のねじ締め方向３３１ａに、三脚座支持部材３４０、三脚座本体部材３３０の順に、接触した状態で配置する従来構成Ｂも知られている。
【先行技術文献】
【特許文献】
【０００５】
【特許文献１】特開２０１４−５６２０８号公報
【発明の概要】
【発明が解決しようとする課題】
【０００６】
しかしながら、図７や図８に示す従来構成Ａ，Ｂでは、三脚座本体部材３３０周辺の三脚雌ねじ部３３１のねじ締め方向３３１ａに大きくなってしまうため、三脚雌ねじ部３３１周辺に他の部品を配置することができない。この結果、部品レイアウトが制限され、撮像装置１００が大型化する懸念がある。
【０００７】
また、三脚座本体部材３３０と三脚座支持部材３４０の接触部３８０が、三脚雌ねじ部３３１に近いため、三脚座支持部材３４０に流入した熱エネルギーが、三脚雌ねじ部３３１に流入しやすい。そのため、三脚雌ねじ部３３１が高温になりやすく、使用者が三脚雌ねじ部３３１に触れた際に、使用者に違和感を与える可能性がある。
【０００８】
そこで、本発明の目的は、三脚雌ねじ部３３１の周辺に他の部品を配置しやすくすることで、撮像装置１００の小型化が実現でき、また、三脚雌ねじ部３３１への熱エネルギーの流入量を抑制でき、三脚雌ねじ部３３１を高温になりにくくする、三脚座プレートを提供することにある。
【課題を解決するための手段】
【０００９】
上記の目的を達成するために、本発明に係る撮像装置は、
本体ユニット（３１０）と、
三脚雌ねじ部（３３１）を備える三脚座本体部材（３３０）と、
前記三脚座本体部材（３３０）を支持し、前記本体ユニット（３１０）に固定される三脚座支持部材（３４０）と、を備える撮像装置（１００）において、
前記三脚雌ねじ部（３３１）は、前記三脚座本体部材（３３０）の第一の平面部（３３３）にあり、前記第一の平面部（３３３）は前記三脚座支持部材（３４０）と当接しないことを特徴とする。
【発明の効果】
【００１０】
本発明に係る撮像装置によれば、三脚雌ねじ部３３１の周辺に他の部品を配置しやすくすることで、撮像装置１００の小型化が実現でき、また、三脚雌ねじ部３３１への熱エネルギーの流入量を抑制でき、三脚雌ねじ部３３１を高温になりにくくする、三脚座プレートを提供することができる。
【図面の簡単な説明】
【００１１】
【図１】本発明の実施形態に係るレンズ交換式の撮像装置の正面側斜視図である。
【図２】本発明の実施形態に係る撮像装置本体部の背面側斜視図である。
【図３】本発明の実施形態に係る撮像装置本体部の底部の分解斜視図である。
【図４】本発明の実施形態に係る三脚座プレートユニットの正面側斜視図である。
【図５】本発明の実施形態に係る三脚座プレートユニットの分解斜視図である。
【図６】図４に示す線Ａ−Ａで切断された三脚座プレートユニットのＡ−Ａ断面図である。
【図７】従来構成Ａでの三脚座プレートユニットの構造を表す三脚雌ねじ部での断面図である。
【図８】図７に示す従来構成Ａとは異なる従来構成Ｂでの三脚座プレートユニットの構造を表す三脚雌ねじ部での断面図である。
【発明を実施するための形態】
【００１２】
以下に、本発明の好ましい実施の形態を、添付の図面に基づいて詳細に説明する。図１は本発明の実施形態に係るレンズ交換式の撮像装置１００の正面側斜視図である。撮像装置１００は、レンズ部２００と撮像装置本体部３００で構成されている。図１は、撮像装置本体部３００からレンズ部２００が外された状態であり、画像撮影時は、レンズ部２００を撮像装置本体部３００のマウント部３１１に取り付ける。
【００１３】
図２は撮像装置本体部３００の背面側斜視図である。撮像装置本体部３００の底面は、外装カバーの一つである底面カバー３２０に覆われている。また、撮像装置本体部３００の底面には、三脚に撮像装置本体部３００を取り付けるための三脚雌ねじ部３３１も配置されており、三脚雌ねじ部３３１は、三脚が備える雄ねじを螺合することができる。三脚雌ねじ部３３１は、底面カバー３２０に設けられた穴３２１から外部に露出している。
【００１４】
図３は撮像装置本体部３００底部の分解斜視図である。マウント部３１１を有する本体ユニット３１０は、撮像装置本体部３００の骨組みとしての機能を有し、底面カバー３２０などの外装カバーなどが、不図示のビスによって締結される。また、本体ユニット３１０は、図中斜線で示す、アルミニウム合金で構成された板金部３１２を有する。板金部３１２は、本体ユニット３１０の剛性や伝熱性を向上させる。
【００１５】
三脚雌ねじ部３３１は、三脚座本体部材３３０に設けられている。三脚座本体部材３３０は、三脚座支持部材３４０に支持され、本体ユニット３１０に取り付けられる。本体ユニット３１０への取り付けは、ビス３５０ａ〜３５０ｄによって行われる。ビス３５０ａ、３５０ｂは、それぞれ三脚座支持部材３４０の穴３４１ａ、３４１ｂ、および図３では不図示の三脚座本体部材３３０の穴３３１ａ，３３１ｂを通り、本体ユニット３１０のねじ穴３１３ａ、３１３ｂに螺合される。また、ビス３５０ｃ、３５０ｄは、それぞれ三脚座支持部材３４０の穴３４１ｃ、３４１ｄを通り、本体ユニット３１０のねじ穴３１３ａ、３１３ｂに螺合される。
【００１６】
三脚座本体部材３３０の三脚雌ねじ部３３１以外の部分および三脚支持部材３４０は、底面カバー３２０の内側に配置されている。ここで、三脚座本体部材３３０と三脚支持部材３４０が組み合わされた状態を三脚座プレートユニット３３０、３４０と呼ぶこことする。三脚座プレートユニット３３０、３４０と本体ユニット３１０の間には、ボトム基板３６０が配置されており、不図示のビスによって本体ユニット３１０に締結される。ボトム基板３６０には、不図示のフレキシブル基板が接続され、各部との通信を行う。
【００１７】
図４および図５は本実施形態に係る三脚座プレートユニット３３０、３４０の正面側斜視図および分解斜視図である。また、図６は図４に示す三脚雌ねじ部３３１の中心線３３１ｂと交わる線Ａ−Ａで切断されたＡ−Ａ断面図である。図６の断面図には説明のため、図４では不図示の底面カバー３２０およびボトム基板３６０の形状を記載している。
【００１８】
三脚雌ねじ部３３１は、三脚の雄ねじを螺合する際に摩耗する懸念がある。従って、三脚雌ねじ部３３１を有する三脚座本体部材３３０は、耐摩耗性が高い材料で構成することが望ましい。一方、三脚座プレートユニット３３０、３４０を軽量化するために、三脚雌ねじ部３３１を有していない三脚座支持部材３４０は、単位密度当たりの強度である比強度の高い材料を選定することが好ましい。以上のことから、三脚座本体部材３３０は、三脚座支持部材３４０よりも耐摩耗性の高い材料で構成し、三脚座支持部材３４０は三脚座本体部材３３０よりも比強度の高い材料で構成することが望ましい。
【００１９】
図３に示すように、ビス３５０ｅは、三脚座支持部材３４０の穴３４１ｅを通り、本体ユニット３１０のねじ穴３１３ｅに螺合される。図３に示す通り、穴３１３ｅの周辺は、板金部３１２が露出しており、ビス３５０ｅで、三脚座支持部材３４０と本体ユニット３１０を締結することによって、三脚座支持部材３４０と板金部３１２は、接触する。板金部３１２は、不図示のメイン基板上に実装された発熱源であるＩＣと熱的に接続されているため、撮像装置１００が動作する際に高温となる。三脚座支持部材３４０が板金部３１２に接触すると、熱的に接続されることにもなるため、三脚座支持部材３４０が、板金部３１２に蓄積されている熱エネルギーをマウント部３１１側に伝達することが可能となる。
【００２０】
より多くの熱エネルギーをマウント部３１１側に伝達するためには、三脚座支持部材３４０を、熱伝導率が高い材料で構成するほうが好ましい。一方で、三脚座本体部材３３０は、熱伝導率の低い材料で構成する方が望ましい。三脚雌ねじ部３３１は、外部に露出しており、使用者が直接触れることが可能である。そのため、使用者が、三脚雌ねじ部３３１に触れても、使用者に違和感を与えないように、三脚座本体部材３３０の温度は低く保つ方が好ましい。これを実現するためには、三脚座支持部材３４０から三脚座本体部材３３０への熱エネルギーの流入量を抑制する必要がある。これらのことから、三脚座本体部材３３０は、三脚座支持部材３４０よりも熱伝導率の低い材料で構成する方が好ましい。
【００２１】
以上のことから、例えば、三脚座本体部材３３０はステンレス合金などの鉄鋼材料で、三脚座支持部材３４０はアルミニウム合金やマグネシウム合金で構成すると良い。ここで、三脚座本体部材３３０において、三脚雌ねじ部３３１を有する平面を、第一の平面部３３３と定義し、図４に斜線で示す。第一の平面部３３３は、三脚座支持部材３４０と当接しない。また、三脚座支持部材３４０は、図４において格子模様で示す、第一の平面部３３３と略同一平面の第二の平面部３４２を有する。
【００２２】
ここで、図７に、三脚座本体部材３３０の第一の平面部３３３を、三脚雌ねじ部３３１のねじ締め方向３３１ａに、三脚座本体部材３３０、三脚座支持部材３４０の順に、接触した状態で配置された従来構成Ａの三脚雌ねじ部３３１での断面図を示す。また、図８に、三脚座本体部材３３０の第一の平面部３３３を、三脚雌ねじ部３３１のねじ締め方向３３１ａに、三脚座支持部材３４０、三脚座本体部材３３０の順に接触した状態で配置された従来構成Ｂの三脚雌ねじ部３３１での断面図を示す。
【００２３】
図７および図８に示す構成は、三脚雌ねじ部３３１周辺において、三脚座本体部材３３０と三脚座支持部材３４０が重なった状態で配置されているため、三脚雌ねじ部３３１のねじ締め方向３３１ａに大きい。一方、本実施例に示す構成においては、三脚雌ねじ部３３１周辺に三脚座支持部材３４０がない。そのため、三脚雌ねじ部３３１周辺は、従来構成Ａ，Ｂよりもねじ締め方向３３１ａで小さい。
【００２４】
以上のことから、本実施例に示す構成は、図７や図８に示す従来構成Ａ，Ｂと比較し、三脚雌ねじ部３３１周辺のねじ締め方向３３１ａの大きさを、最小限にとどめることが可能である。従って、三脚雌ねじ部３３１周辺に他の部品を配置しやすくなり、部品レイアウトの自由度が向上する。この結果として、例えば、三脚雌ねじ部３３１周辺にボトム基板３６０を配置する構成の場合、図７や図８に示す従来構成Ａ，Ｂでは、ボトム基板３６０から底面カバー３２０までの距離ｌ０を、三脚座支持部材３４０の板厚分長く取らなければならない。
【００２５】
しかしながら、本実施例に示す構成においては、ボトム基板３６０から底面カバー３２０までの距離ｌ１を、三脚座支持部材３４０の板厚分短くすることができる。すなわち、ｌ１＞ｌ０であるため、本実施例に示す構成とすれば、従来構成Ａ，Ｂと比較し、撮像装置１００を小型化することが可能となる。
【００２６】
また、三脚雌ねじ部３３１周辺は、三脚座支持部材３４０が三脚座本体部材３３０に接触しない構成であるため、三脚雌ねじ部３３１への三脚座支持部材３４０からの熱エネルギーの流入量が抑制される。従って、板金部３１２から熱エネルギーが流入し、三脚座支持部材３４０が高温となっても、三脚雌ねじ部３３１は高温になりにくい。三脚座本体部材３３０は、量産性の観点から、プレス成型で加工することが好ましい。この場合、三脚雌ねじ部３３１を成形する際は深絞り加工が必要となる。
【００２７】
三脚座本体部材３３０の第一の平面部３３３から三脚雌ねじ部３３１の底面３３１ｃまでの距離ｍは、図７に示す従来構成Ａの距離ｍＡよりも、図８に示す従来構成Ｂの距離ｍＢは、三脚支持部材３４０の板厚分だけ短い。すなわちｍＡ＞ｍＢであるため、三脚雌ねじ部３３１を形成するための加工は、図８に示す従来構成Ｂの方が、図７に示す従来構成Ａに比べて、簡単である。
【００２８】
本実施例に示す構成においては、三脚雌ねじ部３３１周辺で、三脚座本体部材３３０と三脚座支持部材３４０とが接触しておらず、距離ｍ１は、図８に示す従来構成Ｂと同等である。よって、ｍＡ＞ｍＢ≒ｍ１であるため、本実施例に示す構成は、図８に示す従来構成Ｂと同様、図７に示す従来構成Ａよりも簡単な加工で、三脚雌ねじ部３３１を形成することができる。
【００２９】
図５に示すように、ビス３７０は、三脚座本体部材３３０の穴３３４を通り、三脚座支持部材３４０のねじ穴３４３に螺合され、三脚座本体部材３３０と三脚座支持部材３４０を固定する固定部の一つとなる。この固定部３３４、３４３、３７０は、三脚雌ねじ部３３１とレンズ部２００の間にあり、三脚雌ねじ部３３１のねじ締め方向３３１ａに三脚座支持部材３４０、前記三脚座本体部材３３０の順に配置されている。
【００３０】
図１に示す矢印４００および矢印４１０は、それぞれレンズ部２００の先端に下から上方向に加わる荷重、およびレンズ部２００の先端に上から下方向に加わる荷重を表す。レンズ部２００がマウント部３１１に取り付けられ、三脚雌ねじ部３３１に三脚の雄ねじが螺合した状態で、矢印４００または矢印４１０で示す荷重が負荷されると、三脚座プレートユニット３３０、３４０に応力が作用する。矢印４００および矢印４１０で示す荷重は、使用者が意図せず負荷してしまう可能性があるため、三脚座プレートユニット３３０、３４０は、これらの荷重によって生じる応力に耐えうる強度を有する必要がある。
【００３１】
矢印４００、４１０で示す荷重が負荷されると、レンズ部２００、本体ユニット３１０を経由し、ビス３５０ｃ、３５０ｄによって、三脚座プレートユニット３３０、３４０に荷重が負荷されることになる。図６、図７、図８に、三脚雌ねじ部３３１に三脚の雄ねじが螺合した状態で、荷重が負荷された際、三脚座プレートユニット３３０、３４０に加わる荷重を示す。矢印４０１および矢印４１１は、それぞれ矢印４００および矢印４１０の方向に荷重が負荷された際に、三脚座プレートユニット３３０、３４０に作用する荷重を表す。
【００３２】
図８に示す従来構成Ｂにおいては、矢印４０１の方向に荷重が負荷されると、三脚座支持部材３４０がビス３７０を引っ張り、ビス３７０が三脚座本体部材３３０を引っ張る状態となるため、ビス３７０および穴３３４、３４３周辺に応力が集中する。従って、三脚雌ねじ部３３１に三脚の雄ねじが螺合した状態で、矢印４００の方向に過大な荷重が加わると、三脚座プレートユニット３３０、３４０が破壊する懸念がある。
【００３３】
一方で、図６に示す本実施例における構成おいて、矢印４０１の方向に荷重が負荷されると、ビス３７０周辺においては、三脚座支持部材３４０が三脚座本体部材３３０を持ち上げる状態となる。そのため、ビス３７０が引っ張られる状態にはならず、ビス３７０および穴３３４、３４３周辺に応力が集中することはない。従って、三脚雌ねじ部３３１に三脚の雄ねじが螺合した状態で、矢印４００の方向に過大な荷重が加わっても、三脚座プレートユニット３３０、３４０が破壊する懸念は少ない。
【００３４】
また、矢印４１１の方向に荷重が負荷されると、三脚座支持部材３４０がビス３７０を引っ張り、ビス３７０が三脚座本体部材３３０を引っ張る状態となるため、ビス３７０および穴３３４、３４３周辺に応力が集中する。しかしながら、三脚支持部材３４０は、底面カバー３２０の内側に配置されているため、矢印４１１の方向に荷重が負荷されると、三脚座支持部材３４０は変形し、底面カバー３２０に接触する。従って、荷重が一定以上負荷されると、荷重は底面カバー３２０にも作用し、力が分散することになるため、ビス３７０および穴３３４、３４３周辺に過大な応力は生じにくくなる。よって、三脚雌ねじ部３３１に三脚の雄ねじが螺合した状態で、矢印４１０の方向に過大な荷重が加わっても、三脚座プレートユニット３３０、３４０が破壊する懸念は少ない。
【００３５】
従って、本実施例で示す三脚座プレートユニット３３０、３４０の構成は、三脚雌ねじ部３３１に三脚の雄ねじが螺合した状態で、レンズの先端に過大な荷重が負荷されても、図８に示す従来構成Ｂよりも破壊の懸念が少ない構成であると言える。
【００３６】
以上のことから、本実施例に示す構成は、図７や図８に示す従来構成がそれぞれ有する課題を克服した構成であると言える。
【００３７】
以上、本発明の好ましい実施形態について説明したが、本発明はこれらの実施形態に限定されず、その要旨の範囲内で種々の変形及び変更が可能である。
【符号の説明】
【００３８】
１００  撮像装置、３３１  三脚雌ねじ部、３１０  本体ユニット、３３０  三脚座本体部材、３３３  第一の平面部、３４０  三脚座支持部材
【図１】
2018054662.tif 000003
【図２】
2018054662.tif 000004
【図３】
2018054662.tif 000005
【図４】
2018054662.tif 000006
【図５】
2018054662.tif 000007
【図６】
2018054662.tif 000008
【図７】
2018054662.tif 000009
【図８】
2018054662.tif 000010